(57)【特許請求の範囲】
【請求項１】
座に設けた透明ないし半透明の領域と、座の下方略中心部から放射状に延びて座の縁部における下面を支持する複数の座受フレームとを具備し、座受フレームの基端部同士は直接接続されておらず、座の下方略中心部にそれら座受フレームの基端部間を繋ぐような外形の基部を配置してその基部に各々の座受フレームの基端部を接続しており、前記領域を通して、基部周辺の座受フレーム間から下方が垣間見えるように構成したことを特徴とする椅子。
【請求項２】
脚体が放射状に延びる脚羽根の中心部に脚支柱を備え、脚支柱の上端に基部を有するものであり、基部周辺の座受フレーム間から脚羽根が垣間見え、これら脚羽根が見掛け上、座受フレームとともに基部から放射状に延びているように視認される請求項１記載の椅子。
【請求項３】
基部から放射方向に向かって椅子の機能調整のための操作部が引き出されている請求項２記載の椅子。
【請求項４】
椅子本体が脚支柱に回転可能に支持され、椅子本体の回転に伴って放射状要素の位相関係が変わり、これに基づいて織り成す形態が変化するように構成している請求項２又は３記載の椅子。
【請求項５】
座が座枠の内側にメッシュ地を張設したものである請求項１〜４記載の椅子。
【発明の詳細な説明】
【技術分野】
【０００１】
本発明は、オフィスや家庭等において好適に利用される椅子に関するものである。
【背景技術】
【０００２】
この種の椅子としては、例えば特許文献１に示されるように、背座別体にシェルを成形して座シェルを座受けに支持させ、背シェルを背支桿に支持させるようにしたものや、特許文献２に示されるように、背座一体成形のシェルを備えたものが一般的な構造である。
【特許文献１】特開平８−１００８４号公報
【特許文献２】特開平１１−２６６９５７号公報
【発明の開示】
【発明が解決しようとする課題】
【０００３】
ところで、一般に椅子の空間を仕切る輪郭は前後左右から見たときには比較的わかり易く、背や座の立体的形状等に工夫を凝らし易いが、平面視したときには座は上記特許文献の如くシェル等で下面を覆われていて奥行きが視認されない。このため、あくまで平面上において張地の色や材質、デザイン等で座面に変化をつけるほかはない。固定脚を備えた椅子では、座がメッシュ地等の張地で構成され、座の下方が視認されるものもあるが、この場合は床が透けて見えるだけであり、特段意匠に配慮したものではない。
【０００４】
本発明は、このような着眼に立ち、回転椅子等でも採用可能であって椅子の機能を好適に利用して特に離着席時に利用者に斬新な印象を与え得るようにした新規な椅子を提供しようとするものである。但し、このような目的実現に際して、荷重に対する適切な支持機能や各種機構部品の有効な取付機能を損なわず、意匠の対称性も追求できることに配慮するものとする。
【課題を解決するための手段】
【０００５】
本発明は、かかる目的を達成するために、次のような手段を講じたものである。
【０００６】
すなわち、本発明の椅子は、座に設けた透明ないし半透明の領域と、座の下方略中心部から放射状に延びて座の縁部における下面を支持する複数の座受フレームとを具備し、座受フレームの基端部同士は直接接続されておらず、座の下方略中心部にそれら座受フレームの基端部間を繋ぐような外形の基部を配置してその基部に各々の座受フレームの基端部を接続しており、前記領域を通して、基部周辺の座受フレーム間から下方が垣間見えるように構成したことを特徴とする。
【０００７】
このように構成すると、透明感のある座面に、座受フレーム間を介して下方の様子まで大きく映し出すことができるので、床のデザインが透けて見えるときには居住空間との一体性が得られ、あるいは脚体が基部や座受フレーム以外に殆ど遮ることなく透けて見えるときには通常ならば平面視した際の形態に意味を持たない脚体にデザイン的役割を担わせることができ、構造体としての椅子の機能を確保しつつ座面に斬新な意匠を構成することが可能となる。特に、座受フレームの基端部同士を直接接続するのではなく、座の下方略中心部に配置した基部にそれらの基端部間を接続させるようにしているため、座受フレームを略点対称に延出させるなどして荷重分散や意匠の対象性に資するような等方性が出し易く、また操作部などの機構部品を取り付けるための取付場所も、基部において容易に確保することができる。この場合、基部の外壁に外付けされるような形で取り付けるならば、基部の外壁に沿って取付高さの選定も容易となる。
【０００８】
好ましい実施の態様としては、脚体が放射状に延びる脚羽根の中心部に脚支柱を備え、脚支柱の上端に基部を有するものであり、基部周辺の座受フレーム間から脚羽根が垣間見え、これら脚羽根が見掛け上、座受フレームとともに基部から放射状に延びているように視認されるものが挙げられる。
【０００９】
本発明の効果を更に際立たせるためには、基部から放射方向に向かって椅子の機能調整のための操作部が引き出されているものが好適である。
【００１０】
あるいは、椅子本体が脚支柱に回転可能に支持され、椅子本体の回転に伴って放射状要素の位相関係がかわり、これに基づいて織り成す形態が変化するように構成しているものも効果的である。
【００１１】
見掛け上、機能を捨象して意匠的効果を高めるためには、座が座枠の内側にメッシュ地を張設したものであることが望ましい。
【発明の効果】
【００１２】
本発明は、以上説明した構成であるから、回転椅子等で採用しても座を通して座受フレーム間から下方を奥行きをもって垣間見ることができ、床や脚体をも意匠的要素としての役割を担わせて、離着席時において利用者に従来にはない斬新な印象を与え得るようにした有用な椅子を提供することが可能となる。
【発明を実施するための最良の形態】
【００１３】
以下、本発明の一実施形態を、図面を参照して説明する。
【００１４】
この実施形態の椅子は、図１〜図３に示すように、座１、背２及び肘掛け７からなる椅子本体Ａを、脚体Ｂより立ち上げた座受構造体４に支持させてなるものである。
【００１５】
具体的に説明すると、脚体Ｂは、等角位置から放射状に延び先端にキャスター５ａを備えた５本の脚羽根５の中心部に脚支柱３を回転可能に支持させてなるもので、脚支柱３は支柱本体３１の上端に拡径基部３２を有し、支柱本体３１から拡径基部３２に亘る内部に図４に示すようなガススプリング式の昇降機構６を組み込んでいる。拡径基部３２は、図４及び図５に示すように、カバー３２ａを取り除いた状態でお碗状の空洞３２ｂが開口し、底壁３２ｃには中心部付近から放射状に延びるリブ３２ｄが立設してあり、リブ３２ｄの上方には空洞３２ｂ内に手指を差し込める程度の内空が存在している。中心部には、突没動作によって昇降機構６をロック／ロック解除する作動部６１が収容され、この作動部６１を開閉させる位置に操作部たる操作レバー６２が拡径基部３２の一部に設けた切欠３２ｘを通して放射方向に引き出されるとともに、支軸ｍ回りに上下回動操作可能に枢着されている。前記カバー３２ａはこの操作レバー６２と干渉しない状態で作動部６１を含めて空洞３２ｂを蓋封している。操作レバー６２は引き上げることにより作動子６１を没入させて昇降機構６をフリーにし、引き上げ操作を解除することにより突出して昇降機構６をロックするものである。
【００１６】
そして、脚支柱３から上方に向けて、座受構造体４を構成する４本の座受フレーム４１を立ち上げ、それらの座受構造体４１の先端に座１を支持させている。座受フレーム４１は、水平部４１ａと鉛直部４１ｂを一体成形により連設したもので、水平部４１ａは基端が拡径基部３２の側面に接続され、そこから側方に引き出されて脚支柱３の中心部より漸次離れる方向に徐々に上方に湾曲しつつ持ち出されており、平面視すれば図６に示すように脚支柱３から放射方向に延びている。座１への上載荷重は中心よりも後方に掛かり、これに対応して脚支柱３が位置づけられている関係上、脚支柱３から座１の四隅に延びる座受フレーム４１のうち前２つの座受フレーム４１（ｘ）は後２つの座受フレーム４１（ｙ）よりも長く設定してある。鉛直部４１ｂは、図４に示すように水平部４１ａに滑らかに連設されて、先端で座１の縁部、具体的には図７に示すように四隅における下面１ａ、１ｂを支持している。この鉛直部４１ｂには、図８に示すように延出方向に沿って内部にねじ挿通部４１ｃが設けられ、このねじ挿通部４１ｃが水平部４１ａと鉛直部４１ｂの交叉部において下方に開口している。座受フレーム４１の横断面は、図２〜図４等に示すように、延出方向に沿った任意の位置で平均的な体格の大人がちょうど握り締められる程度の扁平な長円状をなしている。
【００１７】
このように座受フレーム４１が座１の四隅に向かって放射状に延びていることから、図７に示す座１の下方であって相隣接する座受フレーム４１、４１間に位置する部位、具体的には座１の前下方、左右の横下方及び後下方にそれぞれ位置する底面視略三角形状の領域Ａ１、Ａ２、Ａ３がフレーム等の存しない開放空間となる。そして、本実施形態はこれらを操作部を配置する機能調整空間とし（以下、上記領域と同じ符号Ａ１、Ａ２、Ａ３を用いる）、着座位置からみて右下方に位置する機能調整空間Ａ２に前記操作レバー６２を配置している。
【００１８】
一方、椅子本体Ａは、図１、図３及び図９等に示すように座１、背２及び肘掛け７からなり、背支桿を用いずに座受構造体４に支持されるもので、当該座１の下面には、前記各座受フレーム４１の対応位置に図７及び図８に示すようにナット部材をインサートしてなるねじ締着部１１が垂下させて設けてある。そして、座受フレーム４１の上端に座１を載せ置き、座受フレーム４１のねじ挿通部４１ｃに下方から挿通したねじＶ１を座１に設けたねじ締着部１１に締着することによって、座受フレーム４１に座１を取り付けている。
【００１９】
すなわち、この椅子は、座受構造体４を構成する各座受フレーム４１の先端部同士を座枠１２の各辺で略直線状に強固に連結する構造であり、座受フレーム４１と座枠１２によって立体的に閉じたフレーム構造をなしている。これによって、各座受フレーム４１と座枠１２を比較的細く形成しても、全体として強度を確保することができ、着座時の衝撃や体重によって各部が変形するようなこともない。
【００２０】
図１及び図９等に示すように、座１は座枠１２の内側の開口１２ａにメッシュ地１３を張設して構成され、背２は背枠２２の内側の開口２２ａにメッシュ地２３を張設して構成されたもので、座枠１２と背枠２２の間を補強する位置に設けた縦リブを肘フレーム７１として使用可能なまでに大きく迫り出させて肘掛け７とし、座枠１２、背枠２２及び当該肘フレーム７１を三次元的に連なった状態で樹脂一体成形している。
【００２１】
具体的には、図１及び図２に示すように、背枠２２のうち最も前方に突出しているランバー対応部２２ａよりも上方に反り返っている有効支持部２２ｂと座枠１２とが略同幅に設定してあり、背枠２２のランバー対応部２２ａよりも下方にいくにつれて奥まった部位に位置する臀部（でんぶ）対応部２２ｃを下方に向けて徐々に括れさせ、背座境界部Ｘの幅を背枠２２の有効支持部２２ｂ及び座枠１２よりも幅狭に設定している。そして、背枠２２から前側方に肘フレーム７１の後端７１ａを持出し、座枠１２から上側方に肘フレーム７１の前端７１ｂを持出して、これら肘フレーム７１、座枠１２及び背枠２２によって形成される開口７ａの周縁が二次元平面内に収まらず三次元的に湾曲しているように樹脂一体成形している。つまり、開口７ａは図３の側面から見えるだけでなく、図２の正面からも見え、図６の平面や図７の底面からも見える。背座境界部Ｘは図８に示すように縦断面前向きＵ字状をなし、この縦断面が臀部に沿って平面視前向き凹状となるように緩やかに湾曲しながら三次元形状をなすように連続している。また、座１の前端には前垂れ部１５が設けてある。この前垂れ部１５は図４に示す縦断面視において概略逆Ｌ字状をなすように座１に連設されたもので、その縦断面が座１の前縁に沿って図７に示すように底面視前向き突状となるように緩やかに湾曲しながら三次元形状をなすように連続している。
【００２２】
肘フレーム７１の後端７１ａは、図１及び図２に示すように小口が背枠２２の小口と連続するようにランバー対応部２２ａと略同じ高さ位置から引き出してあり、背２は平面視前向き凹状に湾曲していて、背枠２２の小口が前側方を向いていることから、肘フレーム７１の後端７１ａも背枠２２から前側方に引き出された後に緩やかに湾曲しながら前方に迫り出す形態をなしている。また、当該肘フレーム７１の前端７１ｂは、小口が座枠１２の小口と連続するように引き出してあり、座枠１２は正面視においてわずかに上向き凹状をなしていて小口が水平よりやや上側方を向いていることから、肘フレーム７１の前端７１ｂも座枠１２から水平よりやや上側方に引き出された後に緩やかに湾曲しながら上方に立ち上がる形態をなす。そして、背枠２２から迫り出した部分と座枠１２から立ち上がった部分が何れも肘フレーム７１の前後方向に水平に延びる上端へと連続している。これらの肘フレーム７１はリブとして見るときには座枠１２に対しても背枠２２に対しても縦リブとなる。そして、この肘フレーム７１の上端に、水平部７１ｃを滑らかに折り曲げて連設している。
【００２３】
この椅子本体Ａの成形時における母型の割り方向は、前後方向と上下方向の略中間となる４５度の方向（図３における矢印Ｚ参照）に設定されている。
【００２４】
そして、図１及び図９に示すように、座枠１２の内側及び背枠２２の内側にそれぞれ存する開口１２ａ、２２ａに、着座面を形成するための別部材であるメッシュ地１３、２３を枠材１４、２４を介して嵌め込んでいる。
【００２５】
背枠２２の開口縁には、図９及び図１０に示すように、前面に枠材取付面１２２ａを有し、背面に板状体が嵌る溝１２２ｂを有する枠材取付部１２２が設けてあり、この枠材取付部１２２の前面にメッシュ地２３を巻き込んだ取付枠１２０を嵌め込み、背面から背枠２２の枠材取付部１２２に挿通したねじＶ２を取付枠１２０に締着するとともに、そのねじＶ２を覆う位置に化粧枠１２１を嵌め込むようにしている。取付枠１２０には、メッシュ地２３が荷重を受けて撓む方向に漸次開口幅を狭めながら湾曲する固定支持面１２０ａが形成されている。
【００２６】
また、座枠１２の開口縁には、図９及び図１１に示すように、上面に枠材取付面１１２ａを有する枠材取付部１１２が設けてあり、この枠材取付部１１２の上面にメッシュ地１３を巻き込んだ取付枠１１０を嵌め込み、下面から座枠１２に挿通したねじＶ３を取付枠１１０に締着するようにしている。取付枠１１０には、メッシュ地１３が荷重を受けて撓む方向に漸次開口幅を狭めながら湾曲する固定支持面１１０ａを形成している。
【００２７】
本実施形態は、以上のようにして図１に示す椅子の体をなしているものであり、図４及び図８に示す座受フレーム４１の鉛直部４１ｂと座枠１２から垂下させたねじ締着部１１とを加えた寸法ｄが少なくとも脚支柱３の上端と座１との間に立体的な空間Ｓを形成し、座１は上載荷重を受けて図４に破線で示すように撓むことにより前記空間Ｓ内に沈み込むことができる。この空間Ｓは同時に、少なくとも人が着座していない状態で作業者が手指を差し込み必要に応じ工具等を使ってカバー３２ａの着脱を行うことのできる大きさをなし、座受構造体４がこのような座受フレーム４１からなるフレーム構造であることと相まって、前記空間Ｓに前後左右いずれの方向からでも手指をアクセスしてカバー３２ａを着脱し、内部の作動部６１等のメンテナンスを行うことができるものである。
【００２８】
また、この椅子は、座１の下方に位置する座受構造体４が、複数の座受フレーム４１を有しその中心部に作動部６１を配置したものであり、座１は座受フレーム４１の上に載置されてねじＶ１のみによって座受フレーム４１に固定されるだけであるため、必要であればねじＶ１を外して図８のように座受構造体４から座１を分離させ、更にカバー３２ａを外せば作動部６１を表出させてメンテナンスを行うこともできる。或いは、座１は図７に示すように４点で各座受フレーム４１にねじＶ１で固定されているため、１本のねじＶ１のみを残して他のねじＶ１を外せば、図４や図８に示すように各座受フレーム４１の先端は略同一高さ位置にあってこの座受構造体４に対して座１を水平旋回させることも可能であり、これによっても作動部６１を表出させることができる。この場合、座１は水平旋回した位置で座受構造体４の適宜の座受フレーム４１に水平に担持されるため、手で担持せずとも作動部６１等に対するメンテナンス作業を行うことが可能である。
【００２９】
このような椅子を視覚的な観点から見ると、座枠１２の内側に張設されたメッシュ地１３が半透明の領域を形成し、その下方にブロック状の座受やシェル等を備えておらず、座面には図１２に示すように座受構造体４を構成する座受フレーム４１や脚羽根５が基部から放射状に延びている状態がシルエット状に視認される。
【００３０】
このように、座枠１２の内側が半透明な領域であると、図７の機能調整空間Ａ１〜Ａ３に操作部を配置した場合にその略全容が図１２に示す上方から当該操作部の位置や数のみならず機能の概要とともに視認可能となる。この実施形態では、着座状態で右下方に位置する機能調整空間Ａ２に昇降機構の操作レバー６２を配置しているのみであるため、離着席時に操作レバー６２が１箇所だけであること、それが上述したように着座状態で右下方に位置していること、操作レバー６２が脚支柱３１の上端から放射状に延出していてガススプリング式の昇降機構６の操作を行うものであること等は容易に推認される。また、図７に示す他の機能調整空間Ａ１、Ａ３に操作部があれば図１２の上方からそれらも同時に視認できるため、操作部がいくつあるか、それがどの位置に存するか、どのような機能の操作部であるか、或いはその操作方法はどのようなものであるか等を、シルエットを通して容易に推認することが可能なものである。
【００３１】
以上のように、本実施形態は、座１に設けた半透明の領域と、座１の下方略中心部から放射状に延びて座１の縁部における下面を支持する複数の座受フレーム４１とを具備し、座受フレーム４１の基端部同士は直接接続されておらず、座の下方略中心部にそれら座受フレーム４１の基端部間を繋ぐような外形の基部３２を配置してその基部３２に各々の座受フレーム４１の基端部を接続しており、前記領域を通して、基部３２周辺の座受フレーム４１、４１間から下方が垣間見えるように構成したものである。
【００３２】
すなわち、椅子の空間を仕切る輪郭は前後左右から見たときには比較的わかり易く、立体的形状等に工夫を凝らし易いが、平面視したときには座はシェル等で下面を覆われており、奥行きのある変化がつけにくく、あくまで平面上において張地の色や材質、デザイン等で変化をつけるのが通例であった。これに対して、本実施形態は、透明感のある座面に、座受フレーム４１、４１間を介して下方の様子を広い範囲で映し出すことができるので、床のデザインが透けて見えるときには居住空間との一体性が得られ、あるいは脚体３が基部３２や座受フレーム４１以外に殆ど遮るものなく透けて見えるときには通常ならば平面視した際の形態に意味を持たない脚体３にデザイン的役割を担わせることができ、構造体としての椅子の機能を確保しつつ座面に斬新な意匠を追及することが可能となる。特に、座受フレーム４１の基端部同士を直接接続するのではなく、座１の下方略中心部に配置した基部３２にそれらの基端部間を接続させるようにしているため、座受フレーム４１を略点対称に延出させる構造を採用して荷重を適切に分散させかつ見た目に落ち着きのある印象を醸し出し、また操作レバー６２の取付場所も基部３２において容易に確保することを可能ならしめているものである。この場合、必要に応じ基部３２の外壁に他の操作部を外付けの形で取り付けることも可能であるため、基部の外壁に沿って取付高さの選定を容易に行うことも可能となる。
【００３３】
具体的には、脚体３が放射状に延びる脚羽根５の中心部に脚支柱３１を備え、脚支柱３１の上端に基部３２を有するものであり、基部３２の周辺の座受フレーム４１，４１間から脚羽根５が垣間見え、これら脚羽根５が見掛け上、座受フレーム４１とともに基部３２から放射状に延びているように視認されるため、基部３２の周辺から放射方向に座受フレーム４１及び脚羽根５からなる多数の放射状要素が延びることになり、漫然と眺めた際には座受フレーム４１とも脚羽根５ともつかない一体に溶け込んだ放射状の意匠が座面に映し出されることになる。
【００３４】
さらに、基部３２から椅子の機能調整のための操作部が引き出されており、その操作レバー６２も座受フレーム４１も脚羽根５も全て放射方向に延びているため、操作レバー６２を取ってつけたような印象を与えることがなく、操作レバー６２を操作し易い位置に配置しても、その存在を周辺に溶け込ませて違和感を解消することができる。
【００３５】
さらにまた、椅子本体Ａが脚支柱３１に回転可能に支持され、椅子本体Ａの回転に伴って放射状要素すなわち脚羽根５に対する座受フレーム４１や操作レバー６２の位相関係が変わり、これに基づいて織り成す形態が略等ピッチで変化することになるため、着座する際の椅子の回転状態や椅子を移動させる際などに座面に映し出される印象をリズミカルで変化に富んだものにすることができる。
【００３６】
そして、本実施形態の座１が、座枠１２の内側にメッシュ地１３を張設したものであり、座１の下方の座受フレーム４１及び当該座受フレーム４１，４１間に垣間見える床や脚体３等がシルエット状に映し出されることになるため、機能を捨象して意匠的効果を有効に高められることとなる。
【００３７】
なお、各部の具体的な構成は、上述した実施形態のみに限定されるものではない。
【００３８】
例えば、図１３〜図１６に示すように、３本の座受フレーム４１，４１，１４１を脚支柱３からＹ字状に引き出し、更に複数の操作レバー１６２、２６２を放射状に引き出して椅子を構成することもできる。
【００３９】
この椅子は、平面視（或いは底面視）斜め前方に放射状に延びる前２本の座受フレーム４１（ｘ）と、真っ直ぐ後方に放射状に延びて座枠１２の後方における幅方向中央部の下面を支持する座受フレーム１４１とを具備し、この座受フレーム１４１がロッキングの反力機構を兼ねている。
【００４０】
すなわち、この椅子の座１は、前方２隅の下面が前支軸ｐを介して前２本の座受フレーム４１（ｘ）に枢着されるとともに、後方下面が後支軸ｑを介して座受フレーム１４１に枢着されており、着座者が背２に凭れると、座１が前支軸ｐ回りに回動して後方が沈み込む構造になっている。
【００４１】
そして、これを受ける座受フレーム１４１は、ガススプリング１４１ａと、このガススプリング１４１ａの軸心回りに配置されて当該ガススプリング１４１ａの圧縮動作に連動して圧縮されるロッキングバネ１４１ｂとを具備し、ガススプリング１４１ａの一端は図１５に示すように拡径基部３２内に差し込まれてロッキングバネ１４１ｂとともにリテーナ１４１ｃに支持されている。ガススプリング１４１ａの作動部１４０ｘはこのリテーナ１４１ｃを貫通した位置に配置され、通常時は操作レバー１６２の内方端に設けた押圧子１６２ａが図１５の位置から作動子１４０ｘを押圧し得る位置にまで回転して保持され、ガススプリング１４１ａの開放状態を保っている。そして、操作レバー１６２を回転操作することにより、押圧子１６２ａを図１５のように作動子１４０ｘから遠ざけて、所要のロッキング位置に固定できるようになっている。勿論、この操作レバー１６２は前記実施形態の操作レバー６２と同様、引き上げることにより作動子６１を没入させて昇降機構６をフリーにし、引き上げ操作を解除することにより突出してその際の昇降位置にロックする役割を兼ねるものである。
【００４２】
また、この椅子にはロッキングの反力調整機構が付帯させてある。図１３及び図１４に示す操作杆２６２は回転動作により反力調整を行うための操作部で、この操作杆２６２を回転操作して拡径基部３２内に設けた図示しない楔部材を図１５における紙面垂直方向にねじ送りし、これによりリテーナ１４１ｃをバネ１４１ｂの圧縮方向又は伸張方向に移動させて、反力を増大又は減少させ得るようにしている。
【００４３】
このように構成すると、図１７に示すように平面視した際に座１の下方に脚羽根５、座受フレーム４１，４１，１４１、操作レバー６１及び操作杆１６２が放射状に延びて、上記実施形態とは別異の見え掛かりを呈することとなり、異なる機能に基づいた新たな意匠を座面に構成することができる。
【００４４】
その他の構成も、本発明の趣旨を逸脱しない範囲で種々変形が可能である。
【００４５】
例えば、メッシュ地に変えてアクリル等で透明ないし半透明の座面を構成しても、視覚的には上記と同様の効果が奏される。
【図面の簡単な説明】
【００４６】
【図１】本発明の一実施形態に係る椅子を示す斜視図。
【図２】同正面図。
【図３】同左側面図。
【図４】同縦断面図。
【図５】同実施形態の拡径基部の内部構造を示す斜視図。
【図６】同実施形態に係る椅子のメッシュ地を省略し脚支柱の上端カバーを外した状態の平面図。
【図７】同実施形態に係る椅子の底面図。
【図８】図４の分解図。
【図９】同実施形態に係る椅子本体の分解斜視図。
【図１０】背枠の開口にメッシュ地が嵌め込まれている状態を示す断面図。
【図１１】座枠の開口にメッシュ地が嵌め込まれている状態を示す断面図。
【図１２】同実施形態に係る椅子の平面図。
【図１３】本発明の他の実施形態を示す底面図。
【図１４】同右側面図。
【図１５】同縦断面図。
【図１６】同左側面図。
【図１７】同平面図。
【符号の説明】
【００４７】
１…座
３…脚体
５…脚羽根
１２…座枠
１３…メッシュ地
３１…脚支柱
３２…基部（拡径基部）
４１，１４１…座受フレーム
６２…操作部（操作レバー）
１６２…操作部（操作杆）
【図１】
0004844723.tif 000002
【図２】
0004844723.tif 000003
【図３】
0004844723.tif 000004
【図４】
0004844723.tif 000005
【図５】
0004844723.tif 000006
【図６】
0004844723.tif 000007
【図７】
0004844723.tif 000008
【図８】
0004844723.tif 000009
【図９】
0004844723.tif 000010
【図１０】
0004844723.tif 000011
【図１１】
0004844723.tif 000012
【図１２】
0004844723.tif 000013
【図１３】
0004844723.tif 000014
【図１４】
0004844723.tif 000015
【図１５】
0004844723.tif 000016
【図１６】
0004844723.tif 000017
【図１７】
0004844723.tif 000018